(57)【要約】【課題】　揚送ベルトを常時適正な位置及び適度な張力で回転駆動することができる玉揚送機における揚送ベルトの張力調節装置を提供する。【解決手段】　張力調整ネジ１４ａ，１４ｂを枠１２，１３ａ，１３ｂに貫通支持すると共にテンションローラ１７を回転自在に軸支するローラ軸１６の両端部に形成されるメスネジと張力調節ネジ１４ａ，１４ｂとを螺合させた状態で、張力調節ネジに周設されたコイルバネ１５ａ，１５ｂによりテンションローラ１７を揚送ベルト６に向けて付勢する一方、枠１２，１３ａ，１３ｂは、揚送ベルト６とテンションローラ１７との接触状態を変化し得るように玉揚送機２に取り付けられることにより、揚送ベルトに偏磨耗が生じても適正な位置で揚送ベルトを回転駆動せしめることができ、湿度等が変化して揚送ベルトが伸縮しても、張力の強弱は、張力調節ネジを調節することにより簡単に行うことができる。【選択図】　　　　図１
2004000717.tif 000002
【特許請求の範囲】
【請求項１】
パチンコ島台に立設され且つ回収された玉を揚送ベルトによって上方に揚送する玉揚送機における揚送ベルトの張力調節装置において、
　該張力調節装置は、玉揚送機本体に取り付けられる枠と、該枠に支持され且つ前記揚送ベルトに当接して前記揚送ベルトに張力を付与するテンションローラと、該テンションローラによって付与される前記揚送ベルトの張力を任意に調節することが可能な張力調節ネジと、からなり、
　前記張力調整ネジを前記枠に貫通支持すると共に前記テンションローラを回転自在に軸支するローラ軸の両端部に形成されるメスネジと前記張力調節ネジとを螺合させた状態で、前記張力調節ネジに周設されたコイルバネにより前記テンションローラを前記揚送ベルトに向けて付勢する一方、
　前記枠は、前記揚送ベルトと前記テンションローラとの接触状態を変化し得るように前記玉揚送機に取り付けられることを特徴とする玉揚送機における揚送ベルトの張力調節装置。
【発明の詳細な説明】
【技術分野】
【０００１】
　本発明は、パチンコ島台に立設され且つ回収された玉を揚送ベルトによって上方に揚送する玉揚送機における揚送ベルトの張力調節装置に関するものである。
【背景技術】
【０００２】
　従来、図７に示すように、パチンコ島台に立設され且つ回収された玉を揚送ベルトＥによって上方に揚送する玉揚送機Ａにおいては、ＶベルトＣによってモータＢの回転が伝達せしめられるプーリＤと一体的に回転する下部ローラ（図示しない）と、玉揚送機Ａの内部上端に設けられる上部ローラ（図示しない）との間に無端状の揚送ベルトＥが掛け渡され、その揚送ベルトＥの回転に伴って流入口Ｇから流入するパチンコ玉を研磨しながら揚送し、上端に形成される排出口Ｈから排出される構造を有していた。そして、このような構造を有する玉揚送機Ａにおいては、揚送ベルトＥに所定の張力を付与するために下部ローラのやや上方部の位置で複数のローラＦ１〜Ｆ３を揚送ベルトＥに対して交互に配置していた。
【発明の開示】
【発明が解決しようとする課題】
【０００３】
　しかして、上記した揚送ベルトＥは、一般的に革製であり、長期間の使用により偏摩耗する場合が多く、このような場合には、回転駆動を案内するローラの中心から揚送ベルトＥがずれて回転し、揚送ベルトＥの寿命を縮めるという問題があった。また、革製であるため湿度によって伸縮し、使用中にその張力が緩み、研磨揚送能力が低下するという問題もあった。本発明は、上記した問題点に鑑みなされたもので、その目的とするところは、揚送ベルトを常時適正な位置及び適度な張力で回転駆動することができる玉揚送機における揚送ベルトの張力調節装置を提供することにある。
【課題を解決するための手段】
【０００４】
　上記した目的を達成するために、請求項１の発明においては、パチンコ島台に立設され且つ回収された玉を揚送ベルトによって上方に揚送する玉揚送機における揚送ベルトの張力調節装置において、該張力調節装置は、玉揚送機本体に取り付けられる枠と、該枠に支持され且つ前記揚送ベルトに当接して前記揚送ベルトに張力を付与するテンションローラと、該テンションローラによって付与される前記揚送ベルトの張力を任意に調節することが可能な張力調節ネジと、からなり、前記張力調整ネジを前記枠に貫通支持すると共に前記テンションローラを回転自在に軸支するローラ軸の両端部に形成されるメスネジと前記張力調節ネジとを螺合させた状態で、前記張力調節ネジに周設されたコイルバネにより前記テンションローラを前記揚送ベルトに向けて付勢する一方、前記枠は、前記揚送ベルトと前記テンションローラとの接触状態を変化し得るように前記玉揚送機に取り付けられることを特徴とする。
【発明の効果】
【０００５】
　上記のように構成することにより、揚送ベルトと前記テンションローラとの接触状態を変化し得るため、揚送ベルトに偏磨耗が生じても適正な位置で揚送ベルトを回転駆動せしめることができる。また、湿度等が変化して揚送ベルトが伸縮しても、その揚送ベルトの張力の強弱は、張力調節ネジを調節することにより簡単に行うことができる。
【発明を実施するための最良の形態】
【０００６】
　以下、図面を参照して本発明の実施形態について説明する。まず、図６を参照して実施形態に係る玉揚送機１の全体の構成について説明する。図６は、玉揚送機１の側面図である。図において、玉揚送機１は、玉揚送機本体としての、揚送支持台３と該揚送支持台３の上部に立設される揚送筒体２とに集約して構成されている。即ち、揚送筒体２の上部には、回転ローラとしての上部ローラ４が回転自在に軸支され、揚送支持台３の内部には、駆動源としてのモータ（図示しない）が内蔵される回転ローラとしての大径の下部駆動ローラ５が設けられており、この上部ローラ４と下部ローラ５との間に革製の揚送ベルト６が掛け渡されている。なお、揚送筒体２の内部には、揚送ベルト６の回転を案内するための内部ローラ２ａ（図１参照）が上下方向に複数個設けられている。また、揚送支持台３には、図示しない回収樋に接続される流入口樋７が設けられ、この流入口樋７によって導かれた使用済玉が揚送ベルト６の摩擦力によって上方に揚送される。そして、その揚送過程において、揚送筒体２の裏面側に設けられる研磨布装着扉９に装着される研磨布（図示しない）に擦られて玉に付着した汚れが拭き落とされ、奇麗になった玉が揚送筒体２の最上部に設けられる排出口樋８から排出されるようになっている。
【０００７】
　上記のように構成される玉揚送機１の下部駆動ローラ５のやや上部の揚送筒体２には、揚送ベルト６の張力を調節する張力調節装置１０が設けられている。この張力調節装置１０の構成について以下図１乃至図５を参照して説明する。図１は、張力調節装置１０部分の平面図であり、図２は、作用位置における張力調節装置１０の側面図であり、図３は、解放位置における張力調節装置１０の側面図であり、図４及び図５は、揚送ベルト６とテンションローラ１７との位置関係を示す張力調節装置１０の背面概略図である。
【０００８】
　図において、張力調節装置１０は、玉揚送機本体の一部としての揚送筒体２に取り付けられる基板１１と、その取付状態が傾度調節ネジ２５によって変化し得るように基板１１に止着される平面ほぼコ字状の外枠１２と、前記揚送ベルト６に対して作用位置と解放位置とを取り得るように外枠１２に軸支される内枠１３ａ，１３ｂと、コイルバネ１５ａ，１５ｂが周設される張力調節ネジ１４ａ，１４ｂを介して内枠１３ａ，１３ｂに支持され且つ作用位置で揚送ベルト６に当接し得る回転ローラとしてのテンションローラ１７と、から構成されている。
【０００９】
　以下、これらをより詳細に説明すると、まず、内枠１３ａ，１３ｂは、図１に示すように、Ｌ字状に形成され、その長辺が外枠１２に当接するようになっており、その短辺に張力調節ネジ１４ａ，１４ｂが貫通支持されている。張力調節ネジ１４ａ，１４ｂの先端部には、テンションローラ１７を回転自在に軸支するローラ軸１６の両端部に形成されるメスネジが螺合されている。また、ローラ軸１６と内枠１３ａ，１３ｂの内側面との間の張力調節ネジ１４ａ，１４ｂには、コイルバネ１５ａ，１５ｂが周設されている。したがって、テンションローラ１７は、張力調節ネジ１４ａ，１４ｂによって支持されていると共に、コイルバネ１５ａ，１５ｂによって常時揚送筒体２側に向かって付勢された状態となっている。なお、コイルバネ１５ａ，１５ｂの付勢力に抗してテンションローラ１７を揚送筒体２と逆方向に押す力が作用した場合には、張力調節ネジ１４ａ，１４ｂ全体が内枠１３ａ，１３ｂの短辺部を貫通するようにスライド移動することとなる。また、張力調節ネジ１４ａ，１４ｂを回転せしめることにより、それと螺合するローラ軸１６が移動することとなるので、コイルバネ１５ａ，１５ｂの付勢力を任意の調節でき、結果的にテンションローラ１７によって付与される揚送ベルト６の張力を任意に調節することが可能となる。
【００１０】
　ところで、本実施形態におけるテンションローラ１７は、図１に示すように、中央の径が大きく端部に向かって徐々に径が小さくなる、いわゆる樽状に形成されているが、これは、揚送ベルト６に当接した状態で図１に示すように、揚送ベルト６を山形状に変形させ、常に揚送ベルト６がテンションローラ１７の中央を通るようにしたものである。このように、常に揚送ベルト６がテンションローラ１７の中央を通るようにすることにより、揚送ベルト６の周回を円滑に行うことができ、揚送ベルト６の寿命が縮まることを防止できる。しかし、長期間使用した場合には、揚送ベルト６が偏磨耗する場合があり、このような場合には、テンションローラ１７の形状だけでテンションローラ１７を含む複数のローラ４、５、２ａの中央を揚送ベルト６が通るように維持することが困難であり、このようなことを考慮して本実施例では、後述するように傾度調節ネジ２５でテンションローラ１７の揚送ベルト６に対する取付状態を変化させることができるようになっており、これによって長期間に亘って揚送ベルト６がテンションローラ１７を含む複数のローラ４、５、２ａの中央を通るように維持している。
【００１１】
　上記のようにテンションローラ１７が取り付けられる内枠１３ａ，１３ｂは、平面コ字状に形成される外枠１２に対して前記したように、その長辺が当接するようになっているが、外枠１２の先端側（揚送筒体２と離れる方向）で支点ネジ１８ａ，１８ｂによって止着され、外枠１２の後端側（揚送筒体２側）で固定ネジ１９ａ，１９ｂによって止着されている。しかして、固定ネジ１９ａ，１９ｂによって外枠１２と内枠１３ａ，１３ｂとが一体的に止着されている状態においては、図２に示すように、テンションローラ１７が揚送ベルト６に当接して張力を付与する作用位置となり、固定ネジ１９ａ，１９ｂを弛めて外枠１２と内枠１３ａ，１３ｂとが一体的に止着されない状態においては、図３に示すように、内枠１３ａ，１３ｂが支点ネジ１８ａ，１８ｂを回転軸としてその先端側のテンションローラ１７が上方に回動した状態となり、テンションローラ１７が揚送ベルト６に当接しているものの張力が付与されていない解放位置となる。この解放位置では、揚送ベルト６に張力が付与されていないので、簡単に揚送ベルト６を取り外し又は取りつけることができる。したがって、内枠１３ａ，１３ｂを解放位置にした状態で摩耗又は切断された古い揚送ベルト６を外し、次いで新品の揚送ベルト６をその状態で掛け渡し、その後、内枠１３ａ，１３ｂを下方に押し下げて固定ネジ１９ａ，１９ｂによって外枠１２と内枠１３ａ，１３ｂとを一体的に止着することにより、揚送ベルト６を簡単に交換することができる。
【００１２】
　一方、平面コ字状に形成される外枠１２は、止着ネジ２０ａ，２０ｂによって揚送筒体２に止着されている基板１１に取り付けられるようになっているが、その具体的な構造は、以下の通りである。即ち、基板１１と外枠１２とは、その両側部を支点ネジ２１と移動ネジ２２とにより止着されている。支点ネジ２１は、図４及び図５に示すように、基板１１に対して外枠１２が傾動する際の支点として機能するものであり、一方、移動ネジ２２は、基板１１に形成された縦長な移動長孔２３を貫通して基板１１裏面に設けられる移動体２６に止着される。移動体２６は、基板１１の一側裏面に構成される背面コ字状のネジ取付部２４に縦方向に貫通支持される傾度調節ネジ２５と螺合するようになっている。そして、移動ネジ２２を弛めた状態で傾度調節ネジ２５を回すことにより、移動体２６が上下動し、これに従動して外枠１２が支点ネジ２１を回転中心として傾動し、所望の傾動位置で移動ネジ２２を締め付けることにより外枠１２の傾動状態を堅固に保持することができる。
【００１３】
　しかして、図４に示すように、背面から見て左側を下げた状態にした場合には、樽状に構成されるテンションローラ１７の中心最大径が左上り傾斜となっていると共に、テンションローラ１７が揚送ベルト６の幅方向左側を幅方向右側よりも強く押すことになるので、テンションローラ１７と当接して回転駆動せしめられる揚送ベルト６を右側方向に寄せるように作用する。したがって、テンションローラ１７の傾斜をなくして通常の水平状態における回転駆動において、揚送ベルト６の偏摩耗により揚送ベルト６が左側に移動する傾向にあるときには、図４に示すように左側を下げて揚送ベルト６が複数のローラ４、５、２ａのほぼ中心を通って回転駆動するように調整することができる。一方、図５に示すように、背面から見て左側を上げた状態にした場合には、樽状に構成されるテンションローラ１７の中心最大径が左下り傾斜となっていると共に、テンションローラ１７が揚送ベルト６の幅方向右側を幅方向左側よりも強く押すことになるので、テンションローラ１７と当接して回転駆動せしめられる揚送ベルト６を左側方向に寄せるように作用する。したがって、テンションローラ１７の傾斜をなくして通常の水平状態における回転駆動において、揚送ベルト６の偏摩耗により揚送ベルト６が右側に移動する傾向にあるときには、図５に示すように左側を上げて揚送ベルト６が複数のローラ４、５、２ａのほぼ中心を通って回転駆動するように調整することができる。
【００１４】
　以上、実施形態に係る玉揚送機１における揚送ベルト６の張力調節装置１０の構成及び作用について説明したが、本実施形態によれば、作用位置で揚送ベルト６に当接し得るテンションローラ１７が張力調節ネジ１４ａ，１４ｂに周設されるコイルバネ１５ａ，１５ｂによって常時付勢されているので、湿度等が変化して揚送ベルト６が伸縮しても常時適度な張力を揚送ベルト６に付与することができる。また、その張力の強弱は、張力調節ネジ１４ａ，１４ｂを調節することにより簡単に変更することができる。また、テンションローラ１７が支持される内枠１３ａ，１３ｂは、外枠１２に設けられ、その外枠１２の取付状態が傾度調節ネジ２５によって変化し得るように構成されているので、結果的に揚送ベルト６とテンションローラ１７との接触状態を調節することができ、これにより揚送ベルト６に偏摩耗が生じていても適正な位置で揚送ベルト６を回転駆動せしめることができる。更に、テンションローラ１７が支持される内枠１３ａ，１３ｂが揚送ベルト６に対して作用し得ない解放位置にもなり得るように外枠１２に軸支されているので、切断又は摩耗により揚送ベルト６を交換する際には、内枠１３ａ，１３ｂを開放位置にセットすることにより、簡単に揚送ベルトを交換することができる。
【００１５】
　なお、上記した実施形態においては、内枠１３ａ，１３ｂを別体で構成してそれぞれ外枠１２に止着したものを示したが、内枠を外枠１２と対抗する形の平面コ字状となるように一体的に構成したものでも良い。
【図面の簡単な説明】
【００１６】
【図１】実施形態に係る玉揚送機に設けられる張力調節装置部分の平面図である。
【図２】作用位置における張力調節装置の側面図である。
【図３】解放位置における張力調節装置の側面図である。
【図４】揚送ベルトとテンションローラとの位置関係を示す張力調節装置の背面概略図である。
【図５】同じく、揚送ベルトとテンションローラとの位置関係を示す張力調節装置の背面概略図である。
【図６】実施形態に係る玉揚送機の全体を示す側面図である。
【図７】従来の玉揚送機の斜視図である。
【符号の説明】
【００１７】
１  玉揚送機
２  揚送筒体（玉揚送機本体）
３  揚送支持台（玉揚送機本体）
４  上部ローラ（回転ローラ）
５  下部駆動ローラ（回転ローラ）
６  揚送ベルト
１０  張力調節装置
１１  基板
１２  外枠
１３ａ，１３ｂ  内枠
１４ａ，１４ｂ  張力調節ネジ
１５ａ，１５ｂ  コイルバネ
１６  ローラ軸
１７  テンションローラ（回転ローラ）
１８ａ，１８ｂ  支点ネジ
１９ａ，１９ｂ  固定ネジ
２０ａ，２０ｂ  止着ネジ
２１  支点ネジ
２２  移動ネジ
２３  移動長孔
２４  ネジ取付部
２５  傾度調節ネジ
２６  移動体
【図１】
2004000717.tif 000003
【図２】
2004000717.tif 000004
【図３】
2004000717.tif 000005
【図４】
2004000717.tif 000006
【図５】
2004000717.tif 000007
【図６】
2004000717.tif 000008
【図７】
2004000717.tif 000009